(57)【要約】【課題】保守現場におけるネットワーク環境に適合した情報処理装置と操作端末装置との間のネットワーク接続を従来に比してより簡単に行う。【解決手段】エレベータ装置２と保守用端末２００とのネットワークの接続方法が有線である場合、無線ＬＡＮの確立に必要なネットワーク接続情報を生成するネットワーク設定部２４０と、送信されてきたネットワーク接続情報に基づき保守用端末２００との間に無線ＬＡＮを確立させるネットワーク設定部１４０とを有する。接続方法が無線の場合、ネットワーク設定部１４０は、保守員に入力された情報に基づきネットワーク接続情報を生成すると共にアクセスポイント４に無線接続させる。ネットワーク設定部２４０は、送信されてきたネットワーク接続情報に基づきアクセスポイント４に無線接続させる。【選択図】図４
2014215879.tif 000002
【特許請求の範囲】
【請求項１】
保守対象物に対する保守を行う際に前記保守対象物とネットワーク接続される情報処理装置と、
前記情報処理装置と共に保守現場に持ち込まれ、前記情報処理装置の操作画面として使用される操作端末装置と、
を有し、
前記操作端末装置は、
前記情報処理装置との間で第一ネットワークを介して通信を行う操作端末装置側第一通信手段と、
前記保守対象物と前記情報処理装置とのネットワークの接続方法が有線か無線かの別を取得する接続方法取得手段と、
前記接続方法取得手段により取得されたネットワークの接続方法に応じたネットワーク接続情報を前記情報処理装置と共有し、情報処理装置側ネットワーク設定手段と連携動作することによって前記第一ネットワークとは異なる第二ネットワークを前記情報処理装置との間に確立する操作端末装置側ネットワーク設定手段と、
前記情報処理装置との間で前記第二ネットワークを介して通信を行う操作端末装置側第二通信手段と、
前記第二ネットワークを介して情報処理装置側操作画面機能処理手段と連携動作することによって、前記操作端末装置を前記情報処理装置の操作画面として機能させる操作端末装置側操作画面機能処理手段と、
を有し、
前記情報処理装置は、
前記操作端末装置との間で前記第一ネットワークを介して通信を行う情報処理装置側第一通信手段と、
前記ネットワーク接続情報に基づき、前記操作端末装置側ネットワーク設定手段と連携動作することによって前記第二ネットワークを前記操作端末装置との間に確立する前記情報処理装置側ネットワーク設定手段と、
前記操作端末装置との間で前記第二のネットワークを介して通信を行う情報処理装置側第二通信手段と、
前記第二ネットワークを介して前記操作端末装置側操作画面機能処理手段と連携動作することによって、前記操作端末装置を前記情報処理装置の操作画面として機能させる前記情報処理装置側操作画面機能処理手段と、
を有することを特徴とする保守用システム。
【請求項２】
前記保守対象物と前記情報処理装置とのネットワークの接続方法が有線の場合、
前記情報処理装置側ネットワーク設定手段は、前記情報処理装置側において生成された前記第二ネットワークを確立するための前記ネットワーク接続情報を前記第一ネットワークを介して前記操作端末装置側ネットワーク設定手段へ送信することを特徴とする請求項１に記載の保守用システム。
【請求項３】
前記操作端末装置は、保守現場の無線ネットワークへの接続に必要な無線ネットワーク接続情報を取得する情報取得手段を有し、
前記保守対象物と前記情報処理装置とのネットワークの接続方法が無線の場合、
前記操作端末装置側ネットワーク設定手段は、前記情報取得手段により取得された無線ネットワーク接続情報を前記ネットワーク接続情報として前記情報処理装置側ネットワーク設定手段へ送信するとともに、前記無線ネットワーク接続情報に基づき前記操作端末装置を前記無線ネットワークに接続し、
前記情報処理装置側ネットワーク設定手段は、前記操作端末装置側ネットワーク設定手段から送信されてきた前記ネットワーク接続情報に基づき前記情報処理装置を前記無線ネットワークに接続することによって、
前記第二ネットワークは、前記保守現場の無線ネットワークを利用して確立されることを特徴とする請求項１に記載の保守用システム。
【請求項４】
前記情報処理装置は、保守現場の無線ネットワークへの接続に必要な無線ネットワーク接続情報を記憶する記憶手段を有し、
前記保守対象物と前記情報処理装置とのネットワークの接続方法が無線の場合、
前記情報処理装置側ネットワーク設定手段は、前記記憶手段に記憶された無線ネットワーク接続情報を前記ネットワーク接続情報として前記操作端末装置側ネットワーク設定手段へ送信するとともに、前記無線ネットワーク接続情報に基づき前記操作端末装置を前記無線ネットワークに接続し、
前記操作端末装置側ネットワーク設定手段は、前記情報処理装置側ネットワーク設定手段から送信されてきた前記ネットワーク接続情報に基づき前記操作端末装置を前記無線ネットワークに接続することによって、
前記第二ネットワークは、前記無線ネットワークを利用して確立されることを特徴とする請求項１に記載の保守用システム。
【請求項５】
保守対象物に対する保守を行う際に前記保守対象物とネットワーク接続される情報処理装置と共に保守現場に持ち込まれ、前記情報処理装置の操作画面として使用される操作端末装置において、
前記情報処理装置との間で第一ネットワークを介して通信を行う第一通信手段と、
前記保守対象物と前記情報処理装置とのネットワークの接続方法が有線か無線かの別を取得する接続方法取得手段と、
前記接続方法取得手段により取得されたネットワークの接続方法に応じたネットワーク接続情報を前記情報処理装置と共有し、前記情報処理装置と連携動作することによって前記第一ネットワークとは異なる第二ネットワークを前記情報処理装置との間に確立するネットワーク設定手段と、
前記情報処理装置との間で前記第二ネットワークを介して通信を行う第二通信手段と、
前記第二ネットワークを介して前記情報処理装置と連携動作することによって、前記操作端末装置を前記情報処理装置の操作画面として機能させる操作画面機能処理手段と、
を有することを特徴とする操作端末装置。
【請求項６】
保守対象物に対する保守を行う際に前記保守対象物とネットワーク接続される情報処理装置であって、共に保守現場に持ち込まれる操作端末装置を操作画面として使用する情報処理装置において、
前記操作端末装置との間で第一ネットワークを介して通信を行う第一通信手段と、
前記保守対象物と前記情報処理装置とのネットワークの接続方法に応じたネットワーク接続情報であって前記操作端末装置と共有するネットワーク接続情報に基づき、前記操作端末装置と連携動作することによって前記第二ネットワークを前記操作端末装置との間に確立するネットワーク設定手段と、
前記操作端末装置との間で前記第二のネットワークを介して通信を行う第二通信手段と、
前記第二ネットワークを介して前記操作端末装置と連携動作することによって、前記操作端末装置を前記情報処理装置の操作画面として機能させる操作画面機能処理手段と、
を有することを特徴とする情報処理装置。
【請求項７】
保守対象物に対する保守を行う際に前記保守対象物とネットワーク接続される情報処理装置と共に保守現場に持ち込まれ、前記情報処理装置の操作画面として使用される操作端末装置を形成するコンピュータを、
前記情報処理装置との間で第一ネットワークを介して通信を行う第一通信手段、
前記保守対象物と前記情報処理装置とのネットワークの接続方法が有線か無線かの別を取得する接続方法取得手段、
前記接続方法取得手段により取得されたネットワークの接続方法に応じたネットワーク接続情報を前記情報処理装置と共有し、前記情報処理装置と連携動作することによって前記第一ネットワークとは異なる第二ネットワークを前記情報処理装置との間に確立するネットワーク設定手段、
前記情報処理装置との間で前記第二ネットワークを介して通信を行う第二通信手段、
前記第二ネットワークを介して前記情報処理装置と連携動作することによって、前記操作端末装置を前記情報処理装置の操作画面として機能させる操作画面機能処理手段、
として機能させるためのプログラム。
【請求項８】
保守対象物に対する保守を行う際に前記保守対象物とネットワーク接続される情報処理装置であって、共に保守現場に持ち込まれる操作端末装置を操作画面として使用する情報処理装置を形成するコンピュータを、
前記操作端末装置との間で第一ネットワークを介して通信を行う第一通信手段、
前記保守対象物と前記情報処理装置とのネットワークの接続方法に応じたネットワーク接続情報であって前記操作端末装置と共有するネットワーク接続情報に基づき、前記操作端末装置と連携動作することによって前記第二ネットワークを前記操作端末装置との間に確立するネットワーク設定手段、
前記操作端末装置との間で前記第二のネットワークを介して通信を行う第二通信手段、
前記第二ネットワークを介して前記操作端末装置と連携動作することによって、前記操作端末装置を前記情報処理装置の操作画面として機能させる操作画面機能処理手段、
として機能させるためのプログラム。
【発明の詳細な説明】
【技術分野】
【０００１】
本発明は、保守用システム、操作端末装置、情報処理装置及びプログラム、特に保守現場において操作端末装置を情報処理装置の操作画面として使用する場合の技術に関する。
【背景技術】
【０００２】
保守対象のエレベータ装置の保守点検を行う場合、保守員は、保守用アプリケーション（保守用ツール）がインストールされている情報処理装置（以下「保守用端末」）を現場に持って行き、エレベータ装置とネットワーク接続し、エレベータ装置における各種データを保守用端末で参照しながら保守点検作業を行う。保守員は、スマートフォンと保守用端末を携帯して、ＲＤＰ（Ｒｅｍｏｔｅ  Ｄｅｓｋｔｏｐ  Ｐｒｏｔｏｃｏｌ）やＶＮＣ（Ｖｉｒｔｕａｌ  Ｎｅｔｗｏｒｋ  Ｃｏｍｐｕｔｉｎｇ）などを利用してリモートデスクトップ接続し、スマートフォンを保守用端末のデスクトップ（操作画面）として使用し、保守点検作業を行うことも可能である。
【０００３】
ところで、保守員は、保守現場のネットワーク環境によって、保守用端末をエレベータ装置と有線にて接続している場合と、無線にて接続する場合と、がある。一般に、保守用端末及びスマートフォンには、Ｂｌｕｅｔｏｏｔｈによる近距離無線通信を行うための通信機能が予め搭載されているが、スマートフォンと保守用端末との間の通信速度の高速化などを理由に、有線接続の場合、スマートフォンを保守用端末と無線ＬＡＮで接続し、一方、無線接続の場合、スマートフォンを保守現場に設置されたアクセスポイントに接続することによって保守現場における無線ネットワークを介して保守用端末と接続している。
【発明の概要】
【発明が解決しようとする課題】
【０００４】
本発明は、保守用アプリケーションがインストールされている情報処理装置と、その情報処理装置の操作画面として使用する操作端末装置と、を使用して保守作業を行う際、保守現場におけるネットワーク環境に適合した情報処理装置と操作端末装置との間のネットワーク接続を従来に比してより簡単に行うことを目的とする。
【課題を解決するための手段】
【０００５】
本発明に係る保守用システムは、保守対象物に対する保守を行う際に前記保守対象物とネットワーク接続される情報処理装置と、前記情報処理装置と共に保守現場に持ち込まれ、前記情報処理装置の操作画面として使用される操作端末装置と、を有し、前記操作端末装置は、前記情報処理装置との間で第一ネットワークを介して通信を行う操作端末装置側第一通信手段と、前記保守対象物と前記情報処理装置とのネットワークの接続方法が有線か無線かの別を取得する接続方法取得手段と、前記接続方法取得手段により取得されたネットワークの接続方法に応じたネットワーク接続情報を前記情報処理装置と共有し、情報処理装置側ネットワーク設定手段と連携動作することによって前記第一ネットワークとは異なる第二ネットワークを前記情報処理装置との間に確立する操作端末装置側ネットワーク設定手段と、前記情報処理装置との間で前記第二ネットワークを介して通信を行う操作端末装置側第二通信手段と、前記第二ネットワークを介して情報処理装置側操作画面機能処理手段と連携動作することによって、前記操作端末装置を前記情報処理装置の操作画面として機能させる操作端末装置側操作画面機能処理手段と、を有し、前記情報処理装置は、前記操作端末装置との間で前記第一ネットワークを介して通信を行う情報処理装置側第一通信手段と、前記ネットワーク接続情報に基づき、前記操作端末装置側ネットワーク設定手段と連携動作することによって前記第二ネットワークを前記操作端末装置との間に確立する前記情報処理装置側ネットワーク設定手段と、前記操作端末装置との間で前記第二のネットワークを介して通信を行う情報処理装置側第二通信手段と、前記第二ネットワークを介して前記操作端末装置側操作画面機能処理手段と連携動作することによって、前記操作端末装置を前記情報処理装置の操作画面として機能させる前記情報処理装置側操作画面機能処理手段と、を有するものである。
【０００６】
また、前記保守対象物と前記情報処理装置とのネットワークの接続方法が有線の場合、前記情報処理装置側ネットワーク設定手段は、前記情報処理装置側において生成された前記第二ネットワークを確立するための前記ネットワーク接続情報を前記第一ネットワークを介して前記操作端末装置側ネットワーク設定手段へ送信するものである。
【０００７】
また、前記操作端末装置は、保守現場の無線ネットワークへの接続に必要な無線ネットワーク接続情報を取得する情報取得手段を有し、前記保守対象物と前記情報処理装置とのネットワークの接続方法が無線の場合、前記操作端末装置側ネットワーク設定手段は、前記情報取得手段により取得された無線ネットワーク接続情報を前記ネットワーク接続情報として前記情報処理装置側ネットワーク設定手段へ送信するとともに、前記無線ネットワーク接続情報に基づき前記操作端末装置を前記無線ネットワークに接続し、前記情報処理装置側ネットワーク設定手段は、前記操作端末装置側ネットワーク設定手段から送信されてきた前記ネットワーク接続情報に基づき前記情報処理装置を前記無線ネットワークに接続することによって、前記第二ネットワークは、前記保守現場の無線ネットワークを利用して確立されるものである。
【０００８】
また、前記情報処理装置は、保守現場の無線ネットワークへの接続に必要な無線ネットワーク接続情報を記憶する記憶手段を有し、前記保守対象物と前記情報処理装置とのネットワークの接続方法が無線の場合、前記情報処理装置側ネットワーク設定手段は、前記記憶手段に記憶された無線ネットワーク接続情報を前記ネットワーク接続情報として前記操作端末装置側ネットワーク設定手段へ送信するとともに、前記無線ネットワーク接続情報に基づき前記操作端末装置を前記無線ネットワークに接続し、前記操作端末装置側ネットワーク設定手段は、前記情報処理装置側ネットワーク設定手段から送信されてきた前記ネットワーク接続情報に基づき前記操作端末装置を前記無線ネットワークに接続することによって、前記第二ネットワークは、前記無線ネットワークを利用して確立されるものである。
【０００９】
本発明に係る操作端末装置は、保守対象物に対する保守を行う際に前記保守対象物とネットワーク接続される情報処理装置と共に保守現場に持ち込まれ、前記情報処理装置の操作画面として使用される操作端末装置において、前記情報処理装置との間で第一ネットワークを介して通信を行う第一通信手段と、前記保守対象物と前記情報処理装置とのネットワークの接続方法が有線か無線かの別を取得する接続方法取得手段と、前記接続方法取得手段により取得されたネットワークの接続方法に応じたネットワーク接続情報を前記情報処理装置と共有し、前記情報処理装置と連携動作することによって前記第一ネットワークとは異なる第二ネットワークを前記情報処理装置との間に確立するネットワーク設定手段と、前記情報処理装置との間で前記第二ネットワークを介して通信を行う第二通信手段と、前記第二ネットワークを介して前記情報処理装置と連携動作することによって、前記操作端末装置を前記情報処理装置の操作画面として機能させる操作画面機能処理手段と、を有するものである。
【００１０】
本発明に係る情報処理装置は、保守対象物に対する保守を行う際に前記保守対象物とネットワーク接続される情報処理装置であって、共に保守現場に持ち込まれる操作端末装置を操作画面として使用する情報処理装置において、前記操作端末装置との間で第一ネットワークを介して通信を行う第一通信手段と、前記保守対象物と前記情報処理装置とのネットワークの接続方法に応じたネットワーク接続情報であって前記操作端末装置と共有するネットワーク接続情報に基づき、前記操作端末装置と連携動作することによって前記第二ネットワークを前記操作端末装置との間に確立するネットワーク設定手段と、前記操作端末装置との間で前記第二のネットワークを介して通信を行う第二通信手段と、前記第二ネットワークを介して前記操作端末装置と連携動作することによって、前記操作端末装置を前記情報処理装置の操作画面として機能させる操作画面機能処理手段と、を有するものである。
【００１１】
本発明に係るプログラムは、保守対象物に対する保守を行う際に前記保守対象物とネットワーク接続される情報処理装置と共に保守現場に持ち込まれ、前記情報処理装置の操作画面として使用される操作端末装置を形成するコンピュータを、前記情報処理装置との間で第一ネットワークを介して通信を行う第一通信手段、前記保守対象物と前記情報処理装置とのネットワークの接続方法が有線か無線かの別を取得する接続方法取得手段、前記接続方法取得手段により取得されたネットワークの接続方法に応じたネットワーク接続情報を前記情報処理装置と共有し、前記情報処理装置と連携動作することによって前記第一ネットワークとは異なる第二ネットワークを前記情報処理装置との間に確立するネットワーク設定手段、前記情報処理装置との間で前記第二ネットワークを介して通信を行う第二通信手段、前記第二ネットワークを介して前記情報処理装置と連携動作することによって、前記操作端末装置を前記情報処理装置の操作画面として機能させる操作画面機能処理手段、として機能させるためのものである。
【００１２】
本発明に係るプログラムは、保守対象物に対する保守を行う際に前記保守対象物とネットワーク接続される情報処理装置であって、共に保守現場に持ち込まれる操作端末装置を操作画面として使用する情報処理装置を形成するコンピュータを、前記操作端末装置との間で第一ネットワークを介して通信を行う第一通信手段、前記保守対象物と前記情報処理装置とのネットワークの接続方法に応じたネットワーク接続情報であって前記操作端末装置と共有するネットワーク接続情報に基づき、前記操作端末装置と連携動作することによって前記第二ネットワークを前記操作端末装置との間に確立するネットワーク設定手段、前記操作端末装置との間で前記第二のネットワークを介して通信を行う第二通信手段、前記第二ネットワークを介して前記操作端末装置と連携動作することによって、前記操作端末装置を前記情報処理装置の操作画面として機能させる操作画面機能処理手段、として機能させるためのものである。
【発明の効果】
【００１３】
本発明によれば、保守用アプリケーションがインストールされている情報処理装置と、その情報処理装置の操作画面として使用する操作端末装置と、を使用して保守作業を行う際、保守現場におけるネットワーク環境に適合した情報処理装置と操作端末装置との間のネットワーク接続を従来に比してより簡単に行うことができる。
【００１４】
また、保守対象物と情報処理装置とのネットワークの接続方法が無線の場合、第二ネットワークを保守現場の無線ネットワークを利用して確立することができる。
【００１５】
また、保守現場の無線ネットワークへの接続に必要な無線ネットワーク接続情報を予め記憶させておくことで、保守現場の無線ネットワークへの接続に必要な情報を何ら入力することなく、操作端末装置を情報処理装置にネットワーク接続することができる。
【図面の簡単な説明】
【００１６】
【図１Ａ】本発明に係る保守用システムの一実施の形態を示した構成図である。
【図１Ｂ】本実施の形態における保守用システムにおいて、保守用端末とエレベータ装置とを有線接続する場合のネットワークの接続関係を示す図である。
【図１Ｃ】本実施の形態における保守用システムにおいて、保守用端末とエレベータ装置とを無線接続する場合のネットワークの接続関係を示す図である。
【図２】本実施の形態における操作端末を形成するコンピュータのハードウェア構成図である。
【図３】本実施の形態における保守用端末を形成するコンピュータのハードウェア構成図である。
【図４】本実施の形態における保守用システムのブロック構成図であり、保守用端末をエレベータ装置と有線ＬＡＮにて接続した場合の接続関係を示す図である。
【図５】本実施の形態において、保守員がネットワークの接続方法として有線接続を選択した場合における動作を示したフローチャートである。
【図６】本実施の形態における保守用システムのブロック構成図であり、保守用端末をエレベータ装置と無線ＬＡＮにて接続した場合の接続関係を示す図である。
【図７】本実施の形態において、保守員がネットワークの接続方法として無線接続を選択した場合における動作を示したフローチャートである。
【図８】本実施の形態において、操作端末と保守用端末との間の無線ＬＡＮを切断する場合の処理を示したフローチャートである。
【発明を実施するための形態】
【００１７】
以下、図面に基づいて、本発明の好適な実施の形態について説明する。
【００１８】
図１Ａは、本発明に係る保守用システムの一実施の形態を示した構成図である。図１Ａには、エレベータ装置２と保守用端末２００と操作端末１００とが示されている。エレベータ装置２は、保守現場となるビル等の施設に設置されたエレベータの設備であり、エレベータのかご、制御装置、保守用インタフェース等エレベータの動作に関連する装置である。保守用端末２００は、本発明に係る情報処理装置に相当し、保守員に携帯され、現場に持ち込まれる情報処理装置である。保守用端末２００には、保守用アプリケーション（保守用ツール）が予めインストールされており、保守員は、保守用端末２００をエレベータ装置２と接続し、エレベータ装置２における各種データを参照しながら保守点検作業を行う。本実施の形態では、保守用端末２００として携帯型のパーソナルコンピュータ（ＰＣ）を用いることを想定している。
【００１９】
操作端末１００は、本発明に係る操作端末装置であり、スマートフォン、タブレット型の端末、ＰＤＡ（Ｐｅｒｓｏｎａｌ  Ｄｉｇｉｔａｌ  Ａｓｓｉｓｔａｎｔ）等保守用端末２００の操作画面となりうる操作パネルを有し、保守用端末２００より小型で軽量の端末装置で実現される。操作端末１００は、保守用端末２００と共に保守現場に持ち込まれ、保守用端末２００にリモートデスクトップ接続することで、保守用端末２００のデスクトップとして使用される。操作端末１００としてスマートフォンを用いることを想定している。
【００２０】
なお、「デスクトップ」とは、ＯＳを起動したときに表示される操作画面のことをいう。「リモートデスクトップ」とは、手元のコンピュータ（本実施の形態における操作端末１００）からネットワークで接続された他のコンピュータ（本実施の形態における保守用端末２００）のＧＵＩやデスクトップ環境を操作する技術の総称をいい、「リモートデスクトップ接続」とは、リモートデスクトップを利用するために２台のコンピュータ（本実施の形態においては、操作端末１００と保守用端末２００）を接続することをいう。
【００２１】
前述したように、保守現場において保守員がエレベータ装置２の保守を行う場合、保守用端末２００をエレベータ装置２と接続する必要があるが、その接続方法としてエレベータ装置２と有線にて接続している場合と、無線にて接続する場合と、がある。基本的には、保守現場には、いずれかの接続方法にてエレベータ装置２と接続できるようになっているので、保守員がその接続方法を選択することになる。
【００２２】
図１Ｂは、図１Ａに示した保守用システムにおいて、保守を行う際に保守用端末２００とエレベータ装置２とを有線ＬＡＮにて接続する場合のネットワークの接続関係を示す図である。この場合、保守員は、保守用端末２００を保守現場に設置されたエレベータ装置２の保守用インタフェースと有線ＬＡＮにて接続する。そして、操作端末１００を保守用端末２００と無線ＬＡＮにて接続する。操作端末１００及び保守用端末２００には、Ｂｌｕｅｔｏｏｔｈによる近距離無線通信を行うための通信機能が予め搭載されているが、操作端末１００と保守用端末２００との間に、通信速度が相対的に速い無線ＬＡＮを確立してデータ通信を行うようにしている。
【００２３】
図１Ｃは、図１Ａに示した保守用システムにおいて、保守を行う際に保守用端末２００とエレベータ装置２とを無線ＬＡＮにて接続する場合のネットワークの接続関係を示す図である。この場合、保守員は、保守現場に設置されているアクセスポイント（ＡＰ）４に操作端末１００及び保守用端末２００をそれぞれ無線接続する。このように、近距離無線通信より通信速度が相対的に速い保守現場における無線ネットワーク環境を有効利用することで、操作端末１００をアクセスポイント４を経由して保守用端末２００と無線ＬＡＮにて接続する。
【００２４】
図２は、本実施の形態における操作端末１００を形成するコンピュータのハードウェア構成図である。本実施の形態において操作端末１００を形成するコンピュータは、従前から存在する汎用的なハードウェア構成で実現できる。すなわち、コンピュータは、図２に示したようにＣＰＵ１１、ＲＯＭ１２、ＲＡＭ１３、ハードディスクドライブ（ＨＤＤ）１４を接続したＨＤＤコントローラ１５、入出力手段として設けられたユーザインタフェースである操作パネル１６、ＬＡＮ通信を行うＬＡＮ通信手段として設けられたＬＡＮインタフェース（ＩＦ）１７及びＢｌｕｅｔｏｏｔｈによる近距離通信を行う近距離通信手段として設けられた近距離通信インタフェース（ＩＦ）１８を内部バス１９に接続して構成される。
【００２５】
図３は、本実施の形態における保守用端末２００を形成するコンピュータのハードウェア構成図である。本実施の形態において保守用端末２００を形成するコンピュータは、従前から存在する汎用的なハードウェア構成で実現できる。すなわち、コンピュータは、図３に示したようにＣＰＵ２１、ＲＯＭ２２、ＲＡＭ２３、ハードディスクドライブ（ＨＤＤ）２４を接続したＨＤＤコントローラ２５、入力手段として設けられたマウス２６とキーボード２７、及び表示装置として設けられたディスプレイ２８をそれぞれ接続する入出力コントローラ２９、ＬＡＮ通信を行うＬＡＮ通信手段として設けられたＬＡＮインタフェース（ＩＦ）３０及びＢｌｕｅｔｏｏｔｈによる近距離通信を行う近距離通信手段として設けられた近距離通信インタフェース（ＩＦ）３１を内部バス３２に接続して構成される。
【００２６】
図４は、本実施の形態における保守用システムのブロック構成図であり、図１Ｂに示したように保守用端末２００をエレベータ装置２と有線ＬＡＮにて接続した場合の接続関係を示している。なお、本実施の形態の説明に必要としない機能ブロックは、図から省略している。
【００２７】
操作端末１００は、近距離通信処理部１１０、無線ＬＡＮ通信処理部１２０、リモートデスクトップ（ＲＤ）クライアント１３０、ネットワーク設定部１４０及びユーザインタフェース（ＵＩ）部１５０を有している。近距離通信処理部１１０は、操作端末装置側第一通信手段として設けられ、近距離通信インタフェース１８を用いて、保守用端末２００との間で第一ネットワークとして確立された無線回線を介して通信を行う。無線ＬＡＮ通信処理部１２０は、操作端末装置側第二通信手段として設けられ、ＬＡＮインタフェース１７を用いて、保守用端末２００との間で第二ネットワークとして確立された無線ＬＡＮを介して通信を行う。リモートデスクトップ（ＲＤ）クライアント１３０は、操作端末装置側操作画面機能処理手段として設けられ、保守用端末２００との間で第二ネットワークとして確立された無線ＬＡＮを介してリモートデスクトップ（ＲＤ）サーバ２３０と連携動作することによって、操作端末１００を保守用端末２００のリモートデスクトップ（操作画面）として機能させる。
【００２８】
ユーザインタフェース（ＵＩ）部１５０は、操作パネル１６を用いて動作するユーザインタフェース手段である。ユーザインタフェース（ＵＩ）部１５０は、接続方法受付部１５１、ＳＳＩＤ受付部１５２、接続情報受付部１５３及び切断要求受付部１５４を有している。接続方法受付部１５１は、接続方法取得手段として設けられ、保守対象物であるエレベータ装置２と保守用端末２００とのネットワークの接続方法が有線か無線かの別を取得する。本実施の形態では、保守員による所定に操作に応じて保守用端末２００とエレベータ装置２との接続方法が有線か無線かを保守員に選択させる接続方法選択画面を操作パネル１６に表示し、保守員によって選択させることによって有線か無線かの別を取得する。「ＳＳＩＤ（Ｓｅｒｖｉｃｅ  Ｓｅｔ ＩＤｅｎｔｉｆｉｅｒ）」とは、無線ＬＡＮにおけるアクセスポイントの識別子のことをいうが、ＳＳＩＤ受付部１５２は、保守用端末２００から送られてきたＳＳＩＤリストをリスト表示するＳＳＩＤ選択画面を操作パネル１６に表示し、このリスト表示されたＳＳＩＤの中から保守員によって選択されたＳＳＩＤを受け付ける。保守員によって選択されたＳＳＩＤのアクセスポイントにアクセスするためには暗号化方法及び暗号キーが必要になるが、接続情報受付部１５３は、情報取得手段として設けられ、保守現場の無線ネットワークへの接続に必要な無線ネットワーク接続情報を取得する。具体的には、接続情報入力画面を操作パネル１６に表示し、この接続情報入力画面から保守員によって入力された暗号化方法及び暗号キーを無線ネットワーク接続情報の一部として受け付けることによって取得する。切断要求受付部１５４は、ネットワーク切断指示用画面を操作パネル１６に表示し、このネットワーク切断指示用画面から保守員によって入力された切断指示操作に応じて発せられる、無線ＬＡＮ通信処理部１２０によって確立された無線ＬＡＮを切断する要求を受け付ける。
【００２９】
ネットワーク設定部１４０は、操作端末装置側ネットワーク設定手段として設けられ、接続情報受付部１５３により取得されたネットワークの接続方法に応じたネットワーク接続情報を保守用端末２００と共有し、保守用端末２００におけるネットワーク設定部２４０と連携動作することによって近距離通信処理部１１０，２１０間の無線回線とは異なる、無線ＬＡＮ通信処理部１２０，２２０間の無線ＬＡＮを保守用端末２００との間に確立する。ここでいうネットワーク接続情報の「共有」というのは、情報の共有であってネットワーク接続情報を記憶した１つのハードウェア資源（記憶手段）を用いるという意味ではない。すなわち、同一内容の情報を操作端末１００及び保守用端末２００がそれぞれ持つということである。
【００３０】
ネットワーク設定部１４０は、接続方法通知部１４１、無線ＬＡＮ接続指示部１４２、無線ＬＡＮ情報生成部１４３、無線ＬＡＮ情報送信部１４４及び無線ＬＡＮ切断指示部１４５を有している。接続方法通知部１４１は、接続方法受付部１５１により取得されたネットワークの接続方法、すなわちエレベータ装置２との接続方法は有線か、あるいは無線かを、近距離通信処理部１１０を介して保守用端末２００に通知する。無線ＬＡＮ接続指示部１４２は、ネットワーク接続情報を渡すことで、保守用端末２００との無線接続を無線ＬＡＮ通信処理部１２０に指示する。無線ＬＡＮ情報生成部１４３は、接続情報受付部１５３により取得された無線ネットワーク接続情報をネットワーク接続情報として生成する。無線ＬＡＮ情報送信部１４４は、無線ＬＡＮ情報生成部１４３により生成されたネットワーク接続情報を、近距離通信処理部１１０を介して保守用端末２００に送信する。無線ＬＡＮ切断指示部１４５は、切断要求受付部１５４により受け付けられた切断要求に応じて、接続している無線ＬＡＮを切断するよう無線ＬＡＮ通信処理部１２０及び近距離通信処理部１１０を介して保守用端末２００に指示する。
【００３１】
操作端末１００における各構成要素１１０〜１５０は、操作端末１００を形成するコンピュータと、コンピュータに搭載されたＣＰＵ１１で動作するプログラムとの協調動作により実現される。
【００３２】
保守用端末２００は、近距離通信処理部２１０、無線ＬＡＮ通信処理部２２０、リモートデスクトップ（ＲＤ）サーバ２３０、ネットワーク設定部２４０及び有線ＬＡＮ通信処理部２５０を有している。近距離通信処理部２１０は、情報処理装置側第一通信手段として設けられ、近距離通信インタフェース３１を用いて、操作端末１００との間で第一ネットワークとして確立された無線回線を介して通信を行う。無線ＬＡＮ通信処理部２２０は、情報処理装置側第二通信手段として設けられ、ＬＡＮインタフェース３０を用いて、操作端末１００との間で第二ネットワークとして確立された無線ＬＡＮを介して通信を行う。リモートデスクトップ（ＲＤ）サーバ２３０は、情報処理装置側操作画面機能処理手段として設けられ、操作端末１００との間で第二ネットワークとして確立された無線ＬＡＮを介してリモートデスクトップクライアント１３０と連携動作することによって、操作端末１００を保守用端末２００のリモートデスクトップ（操作画面）として機能させる。有線ＬＡＮ通信処理部２５０は、接続された有線ＬＡＮを介してエレベータ装置２との間で通信を行う。
【００３３】
ネットワーク設定部２４０は、情報処理装置側ネットワーク設定手段として設けられ、ネットワーク接続情報に基づき、操作端末１００におけるネットワーク設定部１４０と連携動作することによって第二ネットワークとして無線ＬＡＮを操作端末１００との間に確立する。ネットワーク設定部２４０は、無線ＬＡＮ接続指示部２４２、無線ＬＡＮ情報生成部２４３、無線ＬＡＮ情報送信部２４４、無線ＬＡＮ切断指示部２４５及びアクセスポイント（ＡＰ）探索部２４６を有している。無線ＬＡＮ接続指示部２４２は、ネットワーク接続情報を渡すことで、操作端末１００との間の無線ＬＡＮの作成又は接続を無線ＬＡＮ通信処理部２２０に指示する。無線ＬＡＮ情報生成部２４３は、無線ＬＡＮ通信処理部２２０が無線ＬＡＮを確立するのに必要な情報を含むネットワーク接続情報を生成する。無線ＬＡＮ情報送信部２４４は、無線ＬＡＮ情報生成部２４３により生成されたネットワーク接続情報を、近距離通信処理部２２０を介して操作端末１００に送信する。無線ＬＡＮ切断指示部２４５は、操作端末１００から送られてきた無線ＬＡＮの切断指示に応じて、接続している無線ＬＡＮを切断するよう無線ＬＡＮ通信処理部２２０に指示する。アクセスポイント探索部２４６は、保守用端末２００が接続可能なアクセスポイントを探索し、探索できたアクセスポイントのＳＳＩＤのリストを、近距離通信処理部２２０を介して操作端末１００に送信する。
【００３４】
保守用端末２００における各構成要素２１０〜２５０は、保守用端末２００を形成するコンピュータと、コンピュータに搭載されたＣＰＵ２１で動作するプログラムとの協調動作により実現される。
【００３５】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３６】
次に、本実施の形態における動作について説明する。
【００３７】
保守員は、保守現場に到着すると、保守用端末２００をエレベータ装置２に接続し、リモートデスクトップとして機能する操作端末１００から操作し、またエレベータ装置２における各種データを参照しながら保守点検作業を行う。このように、保守員は、保守作業を行う前に保守用端末２００をエレベータ装置２に接続することになるが、保守用端末２００をエレベータ装置２に接続する方法としては、有線接続と無線接続とがある。この接続方法は、保守現場におけるネットワーク環境に依存することになる。すなわち、保守現場におけるネットワーク環境としてエレベータ装置２との接続に有線ＬＡＮが用意されている場合、保守員は、保守用端末２００をエレベータ装置２と有線ＬＡＮにより接続する。一方、保守現場におけるネットワーク環境としてエレベータ装置２にアクセスポイントが接続されている場合、保守員は、保守用端末２００をアクセスポイントに接続することでエレベータ装置２と無線ＬＡＮにより接続する。
【００３８】
保守員は、保守現場におけるネットワーク環境を事前に把握しているので、まず保守用端末２００とエレベータ装置２との接続方法を指定するための接続方法選択画面を操作パネル１６に表示させるための所定の操作を操作端末１００に対して行う。
【００３９】
接続方法受付部１５１は、保守員の所定の操作に応じて接続方法選択画面（図示せず）を操作パネル１６に表示する。この接続方法選択画面では、有線接続又は無線接続かを選択できるようになっている。保守員が保守現場における接続方法を接続方法選択画面から選択すると、接続方法受付部１５１は、保守員により選択された接続方法を受け付ける。まず最初に、保守員がネットワークの接続方法として有線接続を選択した場合における動作について図５に示したフローチャートを用いて説明する。なお、有線接続と選択する場合、保守員は、有線接続を選択する前に保守用端末２００をエレベータ装置２に有線ＬＡＮにより接続しておくのが好適である。
【００４０】
接続方法受付部１５１が保守員により接続方法として有線接続が選択されたことを受け付けると（ステップ１１１）、接続方法通知部１４１は、有線接続する旨を近距離通信処理部１１０を使用して保守用端末２００に通知する（ステップ１１２）。
【００４１】
保守用端末２００におけるネットワーク設定部２４０が有線接続する旨を近距離通信処理部２１０を介して受け取ると（ステップ２１１）、無線ＬＡＮ情報生成部２４３は、無線ＬＡＮを構築するために必要なネットワーク接続情報を生成する（ステップ２１２）。ネットワーク接続情報には、ＳＳＩＤなど保守用端末２００の無線ＬＡＮを特定するための識別情報、暗号化方法、暗号キーなど無線ＬＡＮの作成、接続に必要な情報が含まれている。無線ＬＡＮ接続指示部２４２は、生成されたネットワーク接続情報を渡すことで操作端末１００との無線ＬＡＮの接続ができるように、無線ＬＡＮの作成を無線ＬＡＮ通信処理部２２０に指示する。また、無線ＬＡＮ情報送信部２４４は、生成されたネットワーク接続情報を、近距離通信処理部２１０を使用して操作端末１００に送信する（ステップ２１３）。
【００４２】
操作端末１００におけるネットワーク設定部１４０が近距離通信処理部１１０を介してネットワーク接続情報を受信すると（ステップ１１３）、無線ＬＡＮ接続指示部１４２は、ネットワーク接続情報を無線ＬＡＮ通信処理部１２０に送ることで保守用端末２００との無線ＬＡＮの接続を指示する。無線ＬＡＮ通信処理部１２０は、ネットワーク設定部１４０からの接続指示に応じて、ネットワーク設定部１４０から送られてきたネットワーク接続情報を用いて無線ＬＡＮ通信処理部２２０との間に無線ＬＡＮを確立する（ステップ１１４）。この無線ＬＡＮの確立処理手順は、従前と同じでよい。
【００４３】
無線ＬＡＮが確立されることによって操作端末１００と保守用端末２００との間が無線ＬＡＮにより接続されると、リモートデスクトップクライアント１３０は、リモートデスクトップ接続要求を、無線ＬＡＮを経由して、つまり無線ＬＡＮ通信処理部１２０を介して保守用端末２００側におけるリモートデスクトップサーバ２３０へ送信する。これにより、リモートデスクトップサーバ２３０は、無線ＬＡＮ通信処理部２２０を介してリモートデスクトップクライアント１３０から送信されてきたリモートデスクトップ接続要求を受け取ると、リモートデスクトップクライアント１３０とリモートデスクトップサーバ２３０とは、所定の接続処理を実施することでリモートデスクトップ接続される（ステップ１１５，２１４）。この所定の接続処理は、従前と同じでよい。この結果、操作端末１００は、無線ＬＡＮ通信処理部１２０，２２０により確立された無線ＬＡＮを介して、保守用端末２００との間で表示画面や入力情報等の情報交換を行うことで、保守用端末２００の操作画面として使用することができるようになる。
【００４４】
次に、保守員がネットワークの接続方法として無線接続を選択した場合について説明する。図６は、図４と同じ本実施の形態における保守用システムのブロック構成図であるが、図１Ｃに示したように保守用端末２００をエレベータ装置２と無線ＬＡＮにて接続した場合の接続関係を示している。この保守員がネットワークの接続方法として無線接続を選択した場合における動作について図７に示したフローチャートを用いて説明する。
【００４５】
接続方法受付部１５１が保守員により接続方法として無線接続が選択されたことを受け付けると（ステップ１２１）、接続方法通知部１４１は、無線接続する旨を近距離通信処理部１１０を使用して保守用端末２００に通知する（ステップ１２２）。
【００４６】
保守用端末２００におけるネットワーク設定部２４０が無線接続する旨を近距離通信処理部２１０を介して受け取ると（ステップ２２１）、アクセスポイント探索部２４６は、無線ＬＡＮ通信処理部２２０に近傍の、すなわち無線ＬＡＮ通信処理部２２０が検出可能なアクセスポイントを探索する（ステップ２２２）。この探索により１又は複数のアクセスポイントが検出される可能性があるので、アクセスポイント探索部２４６は、検出された全てのアクセスポイントのＳＳＩＤを含むＳＳＩＤリストを作成して、近距離通信処理部２１０を使用して操作端末１００に送信する（ステップ２２３）。
【００４７】
近距離通信処理部１１０が、近距離通信処理部２１０から送信されてきたＳＳＩＤリストを受信すると（ステップ１２３）、ユーザインタフェース部１５０におけるＳＳＩＤ受付部１５２は、ＳＳＩＤ選択画面を操作パネルに表示する。表示されたＳＳＩＤ選択画面には、保守用端末２００から送られてきたＳＳＩＤリストがリスト表示されている。保守員は、保守対象とするエレベータ装置２が接続されているアクセスポイントを事前に知っているので、リスト表示されたものの中から該当するＳＳＩＤを選択する。ＳＳＩＤ受付部１５２が保守員により選択されたＳＳＩＤを受け付けると（ステップ１２４）、続いて、接続情報受付部１５３は、接続情報入力画面を操作パネルに表示する。この接続情報入力画面には、選択されたＳＳＩＤのアクセスポイントと接続するために必要な情報が入力できるようになっている。具体的には、暗号化方法、暗号キーを入力するための入力フィールドが設けられているが、他の情報も必要であれば、その情報も入力できるようになっている。保守員が所定の入力フィールドに必要な情報を入力すると、接続情報受付部１５３は、入力された情報を受け付ける（ステップ１２５）。そして、無線ＬＡＮ情報送信部１４４は、ＳＳＩＤ受付部１５２により受け付けられたＳＳＩＤ及び接続情報受付部１５３により受け付けられた情報を含む無線ネットワーク接続情報を生成し（ステップ１２６）、この生成した無線ネットワーク接続情報をネットワーク接続情報として近距離通信処理部１１０を使用して保守用端末２００に送信する（ステップ１２７）。
【００４８】
保守用端末２００におけるネットワーク設定部２４０がネットワーク接続情報を近距離通信処理部２１０を介して受信すると（ステップ２２４）、無線ＬＡＮ接続指示部２４２は、ネットワーク接続情報を無線ＬＡＮ通信処理部２２０に送ることでアクセスポイント４との無線ＬＡＮの接続を指示する。無線ＬＡＮ通信処理部２２０は、ネットワーク設定部２４０からの接続指示に応じて、ネットワーク設定部２４０から送られてきたネットワーク接続情報を用いてアクセスポイント４の無線ＬＡＮに接続する（ステップ２２５）。この無線ＬＡＮへの接続手順は、従前と同じでよい。
【００４９】
無線ＬＡＮ通信処理部２２０が無線ＬＡＮを接続した結果、すなわち成功又は失敗した旨を含む結果をネットワーク設定部２４０に通知すると、ネットワーク設定部２４０は、その結果を含む接続結果情報を生成し、近距離通信処理部２１０を使用して操作端末１００に送信する（ステップ２２６）。
【００５０】
近距離通信処理部１１０が接続結果情報を受信すると（ステップ１２８）、ネットワーク設定部１４０における無線ＬＡＮ接続指示部１４２は、接続結果情報を参照することによって保守用端末２００がアクセスポイント４と接続に成功したことを認識すると、ステップ１２７により保守用端末２００に送信したネットワーク接続情報を無線ＬＡＮ通信処理部１２０に送ることで、アクセスポイント４との無線ＬＡＮの接続を指示する。無線ＬＡＮ通信処理部１２０は、ネットワーク設定部１４０からの接続指示に応じて、ネットワーク設定部１４０から送られてきたネットワーク接続情報を用いてアクセスポイント４の無線ＬＡＮに接続する（ステップ１２９）。保守用端末２００では、同じネットワーク接続情報を用いて無線ＬＡＮの接続に成功しているのだから、操作端末１００においても成功するはずである。この無線ＬＡＮへの接続手順は、従前と同じでよい。
【００５１】
なお、図７には示していないが、保守用端末２００がアクセスポイント４の無線ＬＡＮへの接続に失敗していた場合、保守員による暗号キーの入力ミスや一時的な通信障害等が考えられるので、ネットワーク設定部１４０は、接続情報受付部１５３に、接続に失敗した旨を表示させ、また接続情報入力画面を操作パネルに再度表示させて、アクセスポイント４との接続に必要な情報を入力からやり直すよう保守員に促す。これにより、保守用端末２００においてステップ２２５に示したアクセスポイント４との無線ＬＡＮの接続を再度実行させ、アクセスポイント４の無線ＬＡＮに接続させる。また、保守用端末２００においてアクセスポイント４との無線ＬＡＮの接続に成功すると、同じネットワーク情報を用いた接続処理によって、操作端末１００においてもアクセスポイント４の無線ＬＡＮに接続できるようになる。
【００５２】
無線ＬＡＮに接続できると、保守員がネットワークの接続方法として有線接続を選択した場合と同様にして、リモートデスクトップクライアント１３０とリモートデスクトップサーバ２３０とは、リモートデスクトップ接続される（ステップ１３０，２２７）。この結果、操作端末１００は、無線ＬＡＮ通信処理部１２０，２２０により接続された無線ＬＡＮを介して、保守用端末２００との間で表示画面や入力情報等の情報交換を行うことで、保守用端末２００の操作画面として使用することができるようになる。
【００５３】
以上説明したように、保守用端末２００がエレベータ装置２との間を有線ＬＡＮで接続する場合、保守用端末２００と操作端末１００とは、無線ＬＡＮで接続することになるが、この場合、保守用端末２００との無線ＬＡＮ接続に必要なネットワーク情報は、保守用端末２００において生成され、保守用端末２００から操作端末１００に送られることによって同一内容のネットワーク情報が共有されることになる。そして、同一内容のネットワーク情報を用いて保守用端末２００と操作端末１００との間に無線ＬＡＮが確立されることになる。
【００５４】
一方、保守用端末２００がエレベータ装置２との間を保守現場に設置されているアクセスポイント４を介した無線ＬＡＮで接続する場合、保守用端末２００と操作端末１００とは、それぞれ別個にアクセスポイント４と無線接続を行うことにより、アクセスポイント４を介した無線ＬＡＮで接続することになる。この場合、アクセスポイント４との無線ＬＡＮ接続に必要なネットワーク情報は、操作端末１００において生成され、操作端末１００から保守用端末２００へ送られることによって同一内容のネットワーク情報が共有されることになる。そして、同一内容のネットワーク情報を用いて保守用端末２００と操作端末１００とは無線ＬＡＮ接続されることになる。
【００５５】
ところで、保守用端末２００がエレベータ装置２との間を無線ＬＡＮにて接続する場合、上記説明では、保守員に暗号キー等を入力させるようにしたので、アクセスポイント４との間の無線ＬＡＮを確立するために用いるネットワーク接続情報を操作端末１００側にて生成したが、保守用端末２００側にて生成するように構成してもよい。
【００５６】
例えば、１又は複数の保守現場に設置される１又は複数のアクセスポイント及び当該アクセスポイントを利用可能にするために必要なＳＳＩＤ，暗号化方法、暗号キーなどのネットワーク接続情報は、事前に知りうるので、これらの情報を保守用端末２００に予め用意した記憶手段に登録しておく。そして、アクセスポイント探索部２４６が探索したＳＳＩＤのリストを操作端末１００に送り、保守員にＳＳＩＤを選択させる。ネットワーク設定部２４０は、その選択された結果を操作端末１００から受け取り、選択されたＳＳＩＤに対応する暗号化方法等を記憶手段から読み出す。このようにして、ネットワーク接続情報を保守用端末２００側にて生成するようにしてもよい。この場合、操作端末１００側における接続情報受付部１５３は不要となる。
【００５７】
また、上記と同様に記憶手段を予め用意しておき、アクセスポイント探索部２４６が探索したＳＳＩＤのうち受信信号レベルのが最大となるＳＳＩＤを、接続先とするアクセスポイント４のＳＳＩＤと自動的に決定してもよい。そして、ネットワーク設定部２４０は、その決定したＳＳＩＤに対応する暗号化方法等の無線ネットワーク接続情報を記憶手段から読み出す。このようにして、ネットワーク接続情報を保守用端末２００側にて生成するようにしてもよい。この場合、操作端末１００側における接続情報受付部１５３及びＳＳＩＤ受付部１５２は不要となる。このようにすると、保守員は、アクセスポイント４の無線ＬＡＮに接続する際に何ら情報を入力する必要が無くなる。
【００５８】
次に、保守作業が終了して操作端末１００と保守用端末２００との間の無線ＬＡＮを切断する場合の処理について図８に示したフローチャートを用いて説明する。この処理は、有線接続及び無線接続に共通した処理である。
【００５９】
保守員は、操作端末１００の操作画面から所定の操作をすることでリモートデスクトップ切断を行う（ステップ１４１，２４１）。その後、保守員は、無線ＬＡＮを切断するための所定の操作、例えば、ネットワーク切断指示用画面を操作パネルに表示させ、その画面から所定のボタン操作をするなどの操作を操作端末１００に対して行う。
【００６０】
切断要求受付部１５４が前述した所定の操作に基づく切断要求を受け付けると（ステップ１４２）、ネットワーク設定部１４０における無線ＬＡＮ切断指示部１４５は、無線ＬＡＮの切断を無線ＬＡＮ通信処理部１２０に指示すると、無線ＬＡＮ切断指示部１４５は、無線ＬＡＮ切断指示部１４５からの指示に応じて所定の切断手順にて無線ＬＡＮを切断する（ステップ１４３）。この無線ＬＡＮの切断手順は、従前と同じでよい。更に、無線ＬＡＮ切断指示部１４５は、無線ＬＡＮ切断要求を近距離通信処理部１１０を使用して保守用端末２００に送信する（ステップ１４４）。
【００６１】
一方、保守用端末２００におけるネットワーク設定部２４０がネットワーク切断要求を近距離通信処理部２１０を介して受信すると、無線ＬＡＮ切断指示部２４５は、無線ＬＡＮの切断を無線ＬＡＮ通信処理部２２０に指示する。無線ＬＡＮ切断指示部２４５は、無線ＬＡＮ切断指示部２４５からの指示に応じて所定の切断手順にて無線ＬＡＮを切断する（ステップ２４３）。また、エレベータ装置２との間を有線接続した場合は、操作端末１００との接続時に作成した無線ＬＡＮを削除する。この無線ＬＡＮの切断処理手順は、従前と同じでよい。
【００６２】
このようにして、保守作業を終了させた保守員は、保守用端末２００と操作端末１００との間の無線ＬＡＮを切断し、保守用端末２００をエレベータ装置２と有線接続していた場合は有線ＬＡＮを抜き取り、保守現場から退出することになる。
【００６３】
本実施の形態によれば、保守員が保守現場におけるネットワーク環境に応じて保守用端末２００をエレベータ装置２との接続方法を有線接続あるいは無線接続の別を指定することにより、操作端末１００と保守用端末２００との間に、無線ＬＡＮを簡単に確立することができる。すなわち、有線接続の場合は、保守用端末２００をエレベータ装置２との接続方法を指定するだけでよい。無線接続の場合、保守用端末２００をエレベータ装置２との接続方法に加えて操作端末１００から無線ＬＡＮの接続に必要な暗号キー等の無線ネットワーク情報を入力さえすればよい。つまり、操作端末１００及び保守用端末２００は、それぞれ別個にアクセスポイント４に無線接続をする必要があるのにもかかわらず、操作端末１００から１回だけ無線ネットワーク情報を入力すればすむ。また、無線ネットワーク情報を保守用端末２００に予め登録しておけば、無線ネットワーク情報の入力を省略できる。このように、操作端末１００と保守用端末２００とを簡単にリモートデスクトップ接続できる。
【００６４】
また、操作端末１００と保守用端末２００とを無線ＬＡＮで接続することにより、近距離通信より相対的に高速に通信を行うことが可能になる。つまり、近距離通信をそのまま用いる場合と比較して、操作端末１００を性能の良い保守用端末２００のリモートデスクトップとして使用することができる。
【符号の説明】
【００６５】
２  エレベータ装置、４  アクセスポイント、１１，２１  ＣＰＵ、１２，２２  ＲＯＭ、１３，２３  ＲＡＭ、１４，２４  ハードディスクドライブ（ＨＤＤ）、１５，２５  ＨＤＤコントローラ、１６  操作パネル、１７，３０  ＬＡＮインタフェース（ＩＦ）、１８，３１  近距離通信インタフェース（ＩＦ）、１９，３２  内部バス、２６  マウス、２７  キーボード、２８  ディスプレイ、２９  入出力コントローラ、１００  操作端末、１１０，２１０  近距離通信処理部、１２０，２２０  無線ＬＡＮ通信処理部、１３０  リモートデスクトップ（ＲＤ）クライアント、１４０，２４０  ネットワーク設定部、１４１  接続方法通知部、１４２，２４２  無線ＬＡＮ接続指示部、１４３，２４３  無線ＬＡＮ情報生成部、１４４，２４４  無線ＬＡＮ情報送信部、１４５，２４５  無線ＬＡＮ切断指示部、１５０  ユーザインタフェース（ＵＩ）部、１５１  接続方法受付部、１５２  ＳＳＩＤ受付部、１５３  接続情報受付部、１５４  切断要求受付部、２００  保守用端末、２３０  リモートデスクトップ（ＲＤ）サーバ、２４６  アクセスポイント（ＡＰ）探索部、２５０  有線ＬＡＮ通信処理部。
【図１Ａ】
2014215879.tif 000003
【図１Ｂ】
2014215879.tif 000004
【図１Ｃ】
2014215879.tif 000005
【図２】
2014215879.tif 000006
【図３】
2014215879.tif 000007
【図４】
2014215879.tif 000008
【図５】
2014215879.tif 000009
【図６】
2014215879.tif 000010
【図７】
2014215879.tif 000011
【図８】
2014215879.tif 000012